(57)【特許請求の範囲】
【請求項１】
画像データを送信するためのモデムと、画像データの圧縮制御手段とを備え、撮影された画像の画像データを圧縮してメモリカードに記録するモードと、非圧縮の画像としてメモリカードに記録するモードとを選択可能なデジタルカメラにおいて、
送信される画像データが、圧縮されてメモリカードに記録された画像データであるのか、非圧縮の画像としてメモリカードに記録された画像データであるのかを判定する判定手段を備え、
非圧縮の画像としてメモリカードに記録された画像データであると判定された場合には、前記圧縮制御手段によって圧縮した状態で前記モデムを介して前記画像データを送信することを特徴とするデジタルカメラ。
【請求項２】
画像データの圧縮制御手段を備え、撮影された画像の画像データを圧縮してメモリカードに記録するモードと、非圧縮の画像としてメモリカードに記録するモードとを選択可能であるとともに、モデムを介して画像データを送信可能なデジタルカメラにおいて、
送信される画像データが、圧縮されてメモリカードに記録された画像データであるのか、非圧縮の画像としてメモリカードに記録された画像データであるのかを判定する判定手段を備え、
非圧縮の画像としてメモリカードに記録された画像データであると判定された場合には、前記圧縮制御手段によって圧縮した状態で前記モデムを介して前記画像データを送信することを特徴とするデジタルカメラ。
【請求項３】
前記圧縮制御手段は非圧縮画像データをＪＰＥＧ方式で圧縮するものであることを特徴とする、請求項１または２に記載のデジタルカメラ。
【請求項４】
画像データには圧縮の有無を含むタグ情報が付され、該タグ情報を見ることにより、画像データが圧縮されているか否かを判定することを特徴とする、請求項１ないし３の何れかに記載のデジタルカメラ。
【発明の詳細な説明】
【０００１】
【発明の属する技術分野】
本発明はデジタルカメラに関する。
【０００２】
【従来の技術】
従来より、圧縮モードと非圧縮モードで画像データを記録可能なデジタルカメラが知られている。また、画像データをモデムを介してパーソナルコンピュータ等の機器に送信可能なデジタルカメラも知られている。
【０００３】
【発明が解決しようとする課題】
しかしながら、前記従来のデジタルカメラでは、画像データ送信時のデータの最適化に関しては何ら考慮されておらず、画像データがそのまま、即ち圧縮モードの画像データは圧縮されたまま、非圧縮モードの画像データは圧縮されない状態のまま、送信されていた。このため、画像データの送信に時間がかかる場合があるという問題があった。
【０００４】
そこで、この発明は、送信時の画像データの最適化を図ることにより送信時間を短縮することのできるデジタルカメラの提供を課題とする。
【０００５】
【課題を解決するための手段】
上記課題は、画像データを送信するためのモデムと、画像データの圧縮制御手段とを備え、撮影された画像の画像データを圧縮してメモリカードに記録するモードと、非圧縮の画像としてメモリカードに記録するモードとを選択可能なデジタルカメラにおいて、送信される画像データが、圧縮されてメモリカードに記録された画像データであるのか、非圧縮の画像としてメモリカードに記録された画像データであるのかを判定する判定手段を備え、非圧縮の画像としてメモリカードに記録された画像データであると判定された場合には、前記圧縮制御手段によって圧縮した状態で前記モデムを介して前記画像データを送信する構成を採用することにより解決される。
また、画像データの圧縮制御手段を備え、撮影された画像の画像データを圧縮してメモリカードに記録するモードと、非圧縮の画像としてメモリカードに記録するモードとを選択可能であるとともに、モデムを介して画像データを送信可能なデジタルカメラにおいて、送信される画像データが、圧縮されてメモリカードに記録された画像データであるのか、非圧縮の画像としてメモリカードに記録された画像データであるのかを判定する判定手段を備え、非圧縮の画像としてメモリカードに記録された画像データであると判定された場合には、前記圧縮制御手段によって圧縮した状態で前記モデムを介して前記画像データを送信する構成を採用することにより解決される。
さらに、前記圧縮制御手段は非圧縮画像データをＪＰＥＧ方式で圧縮する構成を採用するとよい。
また、画像データには圧縮の有無を含むタグ情報が付され、該タグ情報を見ることにより、画像データが圧縮されているか否かを判定する構成を採用するとよい。
【０００６】
このデジタルカメラによれば、画像データを送信するときは全て圧縮して送信できるようになり、送信時間が短縮する。
【０００７】
【発明の実施の形態】
まず、デジタルカメラの構成について説明する。
【０００８】
デジタルカメラ１は、図１〜３に示すように、箱型のカメラ本体部２と直方体状の撮像部３とから構成されている。撮像部３は、正面（図１の紙面手前側）から見てカメラ本体部２の右側面に着脱可能、かつ、この右側面と平行な面内に回動可能に装着されている。
【０００９】
前記撮像部３は、マクロズームからなる撮影レンズ３０１及びＣＣＤ（Ｃｈａｒｇｅ  Ｃｏｕｐｌｅｄ  Ｄｅｖｉｃｅ）等の光電変換素子からなる撮像装置を有し、被写体の光学像をＣＣＤの各画素で光電変換された電荷信号により構成される画像に変換して取り込むものである。一方、カメラ本体部２は、ＬＣＤ（Ｌｉｑｕｉｄ  Ｃｒｙｓｔａｌ  Ｄｉｓｐｌａｙ）からなる表示部１０、メモリカード８の装着部１７及びパーソナルコンピュータが外部接続される接続端子１３を有し、主として上記撮像部３で取り込まれた画像信号に所定の信号処理を施した後、ＬＣＤ表示部１０への表示、メモリカード８への記録、パーソナルコンピュータへの転送等の処理を行うものである。
【００１０】
撮像部３の内部には、マクロズームレンズ３０１が配設され、このマクロズームレンズ３０１の後方位置の適所にＣＣＤカラーエリアセンサ３０３を備えた撮像回路が設けられている。また、撮像部３内の適所にフラッシュ光の被写体からの反射光を受光する調光センサ３０５を備えた調光回路３０４が設けられている。  カメラ本体部２の前面には、図１に示すように、左端部の適所にグリップ部４が設けられ、右端部の上部適所に内蔵フラッシュ５が設けられている。また、カメラ本体部２の上面には、図１、図２に示すように、略中央に記録画像を再生する際のコマ送り用のスイッチ６、７が設けられている。スイッチ６は、記録画像をコマ番号が増大する方向（撮影順の方向）にコマ送りするためのスイッチ（以下、Ｕｐキーという。）であり、スイッチ７は、記録画像をコマ番号が減少する方向にコマ送りするためのスイッチ（以下、Ｄｏｗｎキーという。）である。また、背面側（図２の紙面手前側）からみてＤｏｗｎキー７の左側に、メモリカード８に記録された画像を消去するための消去スイッチＤが設けられ、Ｕｐキー６の右方にシャッターボタン９が設けられている。
【００１１】
カメラ本体部２の背面には、図２に示すように、左端部の略中央に撮影画像のモニタ表示（ビューファインダーに相当）及び記録画像の再生表示等を行うためのＬＣＤ表示部１０が設けられている。また、ＬＣＤ表示部１０の下方位置には、メモリカード８に記録される画像データの圧縮率Ｋを切り換え設定するためのスライドスイッチ式の圧縮設定スイッチ１２が設けられている。また、カメラ本体部２の撮像部３側の側面には、パーソナルコンピュータが外部接続される前記接続端子１３が設けられ、背面上部には電源スイッチＰＳが設けられている。
【００１２】
前記デジタルカメラ１には、フラッシュ（以下、フラュシュをＦＬと記すことがある）発光に関するモードとして、被写体輝度に応じて自動的に内蔵フラッシュ５を発光させる「自動発光モード」、被写体輝度に関係なく内蔵フラッシュ５を強制的に発光させる「強制発光モード」及び内蔵フラッシュ５の発光を禁止する「発光禁止モード」が設けられ、本体部２の背面の表示部１０の上方に配設されたＦＬモード設定キー１１を押す毎に「自動発光」、「強制発光」及び「発光禁止」の各モードがサイクリックに切り換わり、いずれかのモードが選択設定されるようになっている。また、デジタルカメラ１は、記録時の圧縮の有無が選択設定可能となされ、圧縮設定スイッチ１２を右にスライドすると非圧縮モードで記録し、左へスライドすると圧縮モードで記録する。非圧縮モードにおいては、ＲＧＢ各８ビットのデータを画素単位で配列したＲＡＷデータ系式で記録され、圧縮モードにおいてはＪＰＥＧ形式で記録される。
【００１３】
更に、カメラ本体部２の背面の右端上部には、「撮影モード」と「再生モード」とを切換設定する撮影／再生モード設定スイッチ１４が設けられている。撮影モードは、写真撮影を行うモードであり、再生モードは、メモリカード８に記録された撮影画像をＬＣＤ表示部１０に再生表示するモードである。撮影／再生モード設定スイッチ１４も２接点のスライドスイッチからなり、例えば右にスライドすると、再生モードが設定され、左にスライドすると、撮影モードが設定される。
【００１４】
カメラ本体部２の底面には、電池装填室１８とメモリカード８を装填するカード装填室１７とが設けられ、両装填室１７、１８の装填口は、クラムシェルタイプの蓋１５により閉塞されるようになっている。本実施形態におけるデジタルカメラ１は、４本の単三形乾電池を直列接続してなる電源電池Ｅを駆動源としている。さらに、カメラ本体部２の底面には、デジタルカメラを電話回線に接続するためのモジュラージャック２２００が設けられている。
【００１５】
図４は、デジタルカメラ１の制御系を示すブロック図である。
【００１６】
撮像部３内において、前記ＣＣＤ３０３は、マクロズームレンズ３０１により結像された被写体の光像を、Ｒ（赤）、Ｇ（緑）、Ｂ（青）の色成分の画像信号（各画素で受光された画素信号の信号列からなる信号）に光電変換して出力する。タイミングジェネレータ３１４は、ＣＣＤ３０３の駆動を制御するための各種のタイミングパルスを生成するものである。
【００１７】
撮像部３における露出制御は、絞りが固定絞りとなっているので、ＣＣＤ３０３の露光量、すなわち、シャッタスピードに相当するＣＣＤ３０３の電荷蓄積時間を調節して行われる。被写体輝度が低輝度時に適切なシャッタスピードが設定できない場合は、ＣＣＤ３０３から出力される画像信号のレベル調整を行うことにより露光不足による不適正露出が補正される。すなわち、低輝度時は、シャッタスピードとゲイン調整とを組み合わせて露出制御が行われる。画像信号のレベル調整は、信号処理回路３１３内のＡＧＣ回路のゲイン調整において行われる。
【００１８】
タイミングジェネレータ３１４は、タイミング制御回路２０２から送信される基準クロックに基づきＣＣＤ３０３の駆動制御信号を生成するものである。タイミングジェネレータ３１４は、例えば積分開始／終了（露出開始／終了）のタイミング信号、各画素の受光信号の読出制御信号（水平同期信号、垂直同期信号、転送信号等）等のクロック信号を生成し、ＣＣＤ３０３に出力する。
【００１９】
信号処理回路３１３は、ＣＣＤ３０３から出力される画像信号（アナログ信号）に所定のアナログ信号処理を施すものである。信号処理回路３１３は、ＣＤＳ（相関二重サンプリング）回路とＡＧＣ（オートゲインコントロール）回路とを有し、ＣＤＳ回路により画像信号のノイズの低減を行い、ＡＧＣ回路のゲインを調整することにより画像信号のレベル調整を行う。
【００２０】
調光回路３０４は、フラッシュ撮影における内蔵フラッシュ５の発光量を全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から全体制御部２１１を介してフラッシュ制御回路２１４に発光停止信号が出力される。フラッシュ制御回路２１４は、この発光停止信号に応答して内蔵フラッシュ５の発光を強制的に停止し、これにより内蔵フラッシュ５の発光量が所定の発光量に制御される。
【００２１】
カメラ本体部２内において、Ａ／Ｄ変換器２０５は、画像信号の各画素信号を１０ビットのデジタル信号に変換するものである。Ａ／Ｄ変換器２０５は、図示しないＡ／Ｄクロック発生回路から入力されるＡ／Ｄ変換用のクロックに基づいて各画素信号（アナログ信号）を１０ビットのデジタル信号に変換する。
【００２２】
カメラ本体部２内には、基準クロック、タイミングジェネレータ３１４、Ａ／Ｄ変換器２０５に対するクロックを生成するタイミング制御回路２０２が設けられている。タイミング制御回路２０２は、全体制御部２１１により制御される。
【００２３】
黒レベル補正回路２０６は、Ａ／Ｄ変換器２０５でＡ／Ｄ変換された画素信号（以下、画素データという。）の黒レベルを基準の黒レベルに補正するものである。また、ホワイトバランス回路（以下、ＷＢ回路という）２０７は、γ補正後にホワイトバランスも合わせて調整されるように、Ｒ、Ｇ、Ｂの各色成分の画素データのレベル変換を行うものである。ＷＢ回路２０７は、全体制御部２１１から入力される、レベル変換テーブルを用いてＲ、Ｇ、Ｂの各色成分の画素データのレベルを変換する。なお、レベル変換テーブルの各色成分の変換係数（特性の傾き）は全体制御部２１１により撮影画像毎に設定される。
【００２４】
γ補正回路２０８は、画素データのγ特性を補正するものである。γ補正回路２０８は、γ特性の異なる例えば６種類のγ補正テーブルを有し、撮影シーンや撮影条件に応じて所定のγ補正テーブルにより画素データのγ補正を行う。
【００２５】
画像メモリ２０９は、γ補正回路２０８から出力される画素データを記憶するメモリである。画像メモリ２０９は、１フレーム分の記憶容量を有している。すなわち、画像メモリ２０９は、ＣＣＤ３０３がｎ行ｍ列の画素を有している場合、ｎ×ｍ画素分の画素データの記憶容量を有し、各画素データが対応する画素位置に記憶されるようになっている。
【００２６】
ＶＲＡＭ２１０は、ＬＣＤ表示部１０に再生表示される画像データのバッファメモリである。ＶＲＡＭ２１０は、ＬＣＤ表示部１０の画素数に対応した画像データの記憶容量を有している。
【００２７】
撮影待機状態においては、撮像部３により１／３０（秒）毎に撮像された画像の各画素データが、Ａ／Ｄ変換器２０５〜γ補正回路２０８により所定の信号処理を施された後、画像メモリ２０９に記憶されるとともに、全体制御部２１１を介してＶＲＡＭ２１０に転送され、ＬＣＤ表示部１０に表示される。これにより撮影者はＬＣＤ表示部１０に表示された画像により被写体像を視認することができる。また、再生モードにおいては、メモリカード８から読み出された画像が全体制御部２１１で所定の信号処理を施された後、ＶＲＡＭ２１０に転送され、ＬＣＤ表示部１０に再生表示される。
【００２８】
カード用インターフェース（Ｉ／Ｆ）２１２は、メモリカード８への画像データの書き込み及び画像データの読み出しを行うためのインターフェースである。また、通信用インターフェース（Ｉ／Ｆ）２１３は、パーソナルコンピュータ１９を通信可能に外部接続するための、例えばＵＳＢ規格に準拠したインターフェースである。さらに、通信用インターフェース２１３は、デジタルカメラに内蔵されるモデム２２０にも接続されており、電話回線を通じて、デジタルカメラの各種データ例えば撮影した画像データを外部と送受できるようになっている。なお、モデム２２０の通信用インターフェース２１３と反対側の端子は、前記モジュラージャック２２００に接続されている。
【００２９】
フラッシュ制御回路２１４は、内蔵フラッシュ５の発光を制御する回路である。フラッシュ制御回路２１４は、全体制御部２１１の制御信号に基づき内蔵フラッシュ５の発光の有無、発光量及び発光タイミング等を制御し、調光回路３０４から入力される発光停止信号ＳＴＰに基づき内蔵フラッシュ５の発光量を制御する。
【００３０】
ＲＴＣ２１９は、撮影日時を管理するための時計回路であり、図示しない別の電源で駆動される。
【００３１】
操作部２５０は、上述した、Ｕｐキー６、Ｄｏｗｎキー７、シャッターボタン９、ＦＬモード設定キー１１、圧縮設定スイッチ１２、撮影／再生モード設定スイッチ１４に相当するスイッチを備えており、操作部インターフェース（Ｉ／Ｆ）２５００を介して全体制御部２１１により制御される。
【００３２】
全体制御部２１１は、ＣＰＵからなり、上述した撮像部３内及びカメラ本体部２内の各部材の駆動を有機的に制御してデジタルカメラ１の撮影動作を統括制御するものである。また、ＣＰＵのワーク用としてのＲＡＭ２１１１と、ＣＰＵのプログラムを記憶したフラッシュメモリ２１１０を備えている。
【００３３】
また、図５に示すように、全体制御部２１１は、露出制御値（シャッタスピード（ＳＳ））を設定するための輝度判定部２１１ａとシャッタスピード（ＳＳ）設定部２１１ｂとを備えている。輝度判定部２１１ａは、撮影待機状態において、ＣＣＤ３０３により１／３０（秒）毎に取り込まれる画像を利用して被写体の明るさを判定するものである。すなわち、輝度判定部２１１ａは、画像メモリ２０９に更新的に記憶される画像データを用いて被写体の明るさを判定するものである。
【００３４】
輝度判定部２１１ａは、画像メモリ２０９の記憶エリアを９個のブロックに分割し、各ブロックに含まれるＧ（緑）の色成分の画素データを用いて各ブロックを代表する輝度データを算出する。
【００３５】
シャッタスピード設定部２１１ｂは、輝度判定部２１１ａによる被写体の明るさの判定結果に基づいてシャッタスピード（ＣＣＤ３０３の積分時間）を設定するものである。シャッタスピード設定部２１１ｂは、シャッタスピードのテーブルを有している。
【００３６】
シャッタスピードは、カメラ起動時に１／１２８（秒）に初期設定され、撮影待機状態において、シャッタスピード設定部２１１ｂは、輝度判定部２１１ａによる被写体の明るさの判定結果に応じて初期値から高速側若しくは低速側に１段ずつ変更設定する。
【００３７】
また、全体制御部２１１は、撮影シーンに応じて適切なシャッタスピードの設定、γ補正、フィルタリング補正（後述）を行うために、「低輝度シーン」、  「中輝度通常シーン」、「中輝度逆光シーン」及び「高輝度シーン」の４種類の撮影シーンを判定するシーン判定部２１１ｃを備えている。「低輝度シーン」は、室内撮影や夜間撮影のように、通常、フラッシュによる補助光を必要とするシーンであり、「中輝度通常シーン」は、主被写体に対する照明光（自然光、人工光を含む）が順光で、かつ、その明るさが適当であるため補助光無しで撮影可能なシーンである。また、「中輝度逆光シーン」は、全体的な明るさは適当であるが、主被写体に対する照明光が逆光のため、フラッシュ発光が好ましいシーンであり、「高輝度シーン」は、例えば晴天の海やスキー場での撮影のように全体的に非常に明るいシーンである。シーン判定部２１１ｃによる判定結果はメモリ２１１ｄに記憶される。
【００３８】
更に、全体制御部２１１は、撮像画像が風景や人物等の通常の写真撮影の画像（以下、この種の撮影画像を自然画という。）であるか、ボードに描かれた文字、図表等の画像（以下、この種の２値画像に類似した画像を文字画という。）であるかを判定する画像判定部２１１ｅを備えている。
【００３９】
画像判定部２１１ｅは、画像メモリ２０９に記憶された撮像画像を構成する画素データに基づき各画素位置の輝度データのヒストグラムを作成し、このヒストグラムに基づき撮像画像の内容を判定する。一般に、撮像画像の輝度データのヒストグラムは、自然画の場合は、輝度分布の偏りが少なく、１つのピーク値を有する、いわゆる１山分布となるが、例えばホワイトボードに描かれた文字のような文字画の場合は、白地部分と黒の文字部分とにそれぞれ輝度分布の偏りが見られ、２山分布となる。従って、画像判定部２１１ｅは、撮像画像の輝度データＢＶ（ｉ、ｊ）のヒストグラムが１山分布であるか、２山分布であるかを判別することにより撮像画像が自然画であるか、文字画であるかを判別する。そして、この判定結果もメモリ２１１ｄに記憶される。
【００４０】
全体制御部２１１は、上記撮影画像の記録処理を行うために、フィルタリング処理を行うフィルタ部２１１ｆとサムネイル画像及び圧縮画像を生成する記録画像生成部２１１ｇとを備え、メモリカード８に記録された画像をＬＣＤ表示部１０に再生するために、再生画像を生成する再生画像生成部２１１ｈを備えている。記録画像生成部２１１ｇは、圧縮設定スイッチ１２で圧縮モードが設定された場合には、画像データの圧縮を行い、再生画像生成部２１１ｈは、圧縮記録された画像を表示するために伸張する。
【００４１】
前記フィルタ部２１１ｆは、デジタルフィルタにより記録すべき画像の高周波成分を補正して輪郭に関する画質の補正を行うものである。フィルタ部２１１ｆは、標準的な輪郭補正を行うデジタルフィルタと、この標準的な輪郭補正に対して、輪郭を強める２種類のデジタルフィルタと輪郭を弱める２種類のデジタルフィルタの合計５種類のデジタルフィルタを備えている。
【００４２】
前記記録画像生成部２１１ｇは、画像メモリ２０９から画素データを読み出してメモリカード８に記録すべきサムネイル画像と圧縮画像とを生成する。記録画像生成部２１１ｇは、画像メモリ２０９からラスタ走査方向に走査しつつ、横方向と縦方向の両方向でそれぞれ８画素毎に画素データを読み出し、順次、メモリカード８に転送することで、サムネイル画像を生成しつつメモリカード８に記録する。
【００４３】
また、記録画像生成部２１１ｇは、画像メモリ２０９から全画素データを読み出し、これらの画素データに２次元ＤＣＴ変換、ハフマン符号化等のＪＰＥＧ方式による所定の圧縮処理を施して圧縮画像の画像データを生成し、この圧縮画像データをメモリカード８の本画像エリアに記録する。
【００４４】
全体制御部２１１は、撮影モードにおいて、シャッターボタン９により撮影が指示されると、撮影指示後に画像メモリ２０９に取り込まれた画像のサムネイル画像と、圧縮率設定スイッチ１２で圧縮モードが設定された場合にはＪＰＥＧ方式により圧縮された圧縮画像とを生成する。そして、撮影画像に関するタグ情報（コマ番号、露出値、シャッタスピード、圧縮の有無、撮影日、撮影時のフラッシュのオンオフのデータ、シーン情報、画像の判定結果等の情報）とともに両画像をメモリカード８に記憶する。
【００４５】
メモリカード８には、図６に示すように、４０コマの画像が記憶可能であり、各コマ８１〜８５はタグの部分とＪＰＥＧ形式で圧縮された高解像度の画像データ（６４０×４８０画素）とサムネイル表示用の画像データ（８０×６０画素）が記録されている。
【００４６】
次に、再生モードにおいて、画像データを送信する際の処理を、図７及び図８のフローチャートを参照して説明する。
【００４７】
撮影／再生モード設定スイッチ１４を再生側にセットすると、ステップ（以下、ステップをＳと記す）３００で、デジタルカメラのＬＣＤ表示部１０に選択画面を表示する。選択肢として、
１：プリント
２：再生
３：撮影画像の送信
が表示されている。
【００４８】
「１：プリント」は、撮影した画像のプリントアウトするモードであり、「２：再生」は、撮影した画像を再生表示するモードである。「３：撮影画像の送信」は、撮影した画像データを所定のサーバに送る。
【００４９】
初期設定では、１：プリントが選択されているが、Ｕｐキー／Ｄｏｗｎキーを押すことにより、任意の選択肢を選択状態にすることができる。「３：撮影画像の送信」を選択しＳ３１０でシャッターボタン９が押されると（Ｓ３１０にてＹＥＳ）、デジタルカメラ１のＬＣＤ表示部１０には、Ｓ３２０の送信画面が表示される。ここでは、送信先の選択と、送信先の設定が可能である。初期設定では、送信先のサーバとしてＸＸＸが選択されている。ここで、ＦＬモード選択キー１１を押すと、画面はＳ３００の選択画面に戻る。シャッターボタン９が押されると、図８のＳ４００に進む。
【００５０】
一方、Ｓ３５０に示すように、「３：撮影画像の送信」以外の他の選択肢を選んだ状態で、シャッターボタン９が押されると（Ｓ３１０にてＮＯ、Ｓ３５０にてＹＥＳ）、Ｓ３６０で選択肢に応じたそれぞれの処理を行い、このルーチンを抜ける。
【００５１】
また、シャッターボタン９が押されることなく（Ｓ３５０にてＮＯ）、Ｓ３７０に示すように、撮影／再生モード設定スイッチ１４の操作によって、撮影モードに設定されると、撮影モードに変更の上、このルーチンを抜ける。
【００５２】
さて、「３：撮影画像の送信」を選択してシャッターボタン９を押すと、前述したようにＳ４００に進み、デジタルカメラ１が電話回線に接続されているかどうかを検出する。もし、接続されていないのなら（Ｓ４００にてＮＯ）、Ｓ４１０で電話回線への接続を促すエラーメッセージを表示部１０に表示し、このルーチンを抜ける。
【００５３】
電話回線に接続されていることが確認されたなら（Ｓ４００にてＹＥＳ）、Ｓ４２０で選択したサーバ（この例ではＸＸＸ）を呼び出す。Ｓ４３０でサーバの応答を監視して、もし、応答がなければ（Ｓ４３０にてＮＯ）、Ｓ４４０でサーバが応答しない旨のエラーメッセージを表示部１０に表示し、このルーチンを抜ける。
【００５４】
サーバから応答があったら（Ｓ４３０にてＹＥＳ）、Ｓ４５０で、送信コマ番号を表すカウンタｋの値を１にセットし、Ｓ４６０で第ｋコマ目のタグ及び画像をメモリにロードし、タグのデータを見ることによりＳ４７０で画像データが圧縮されているかどうかを判別する。そして、圧縮されていないのなら（Ｓ４７０にてＮＯ）、Ｓ４８０でＲＡＷ画像データを記録画像生成部２１１ｇにて圧縮し、Ｓ４９０で対象コマの画像データを送信する。画像データが圧縮されている場合には（Ｓ４７０にてＹＥＳ）、そのままで画像データを送信する。このように、画像データが圧縮されているかどうかを調べ、圧縮されていない画像データについては圧縮することにより、全ての画像データを圧縮した状態で送信するから、送信時間を短縮することができる。
【００５５】
画像データの送信中はＳ５００に示されるように、第ｋコマ目のデータを送信している旨を表示部１０に表示する。Ｓ５１０でデータ送信が完了したかどうかを調べ、完了するまで（Ｓ５１０にてＮＯ）送信を行う。データ送信が完了すると（Ｓ５１０にてＹＥＳ）、Ｓ５２０で、他に送信するべきデータがあるかどうかを判別し、あれば（Ｓ５２０にてＹＥＳ）、Ｓ５３０でカウンタｋをインクリメントし、Ｓ４６０へ戻る。
【００５６】
Ｓ５２０で判別した結果、全てのコマのデータの送信が完了したなら（Ｓ５２０にてＮＯ）、Ｓ５４０で、送信が完了しシャッターボタン９を押すと戻る旨のメッセージを表示部１０に表示する。そして、Ｓ５５０でシャッターボタン９が押されるまで待ち、押されたなら（Ｓ５５０にてＹＥＳ）、図７のＳ３００の選択画面に戻る。
【００５７】
以上、静止画の送信の場合について説明したが、動画撮影可能なデジタルカメラにおいては、動画の形式を例えばＭＰＥＧ形式に変換し、送信するようにすれば良く、この場合も本発明の範囲に含まれるものである。
【００５８】
【発明の効果】
この発明は、上述の次第で、送信される画像データが、圧縮されてメモリカードに記録された画像データであるのか、非圧縮の画像としてメモリカードに記録された画像データであるのかを判定し、非圧縮の画像としてメモリカードに記録された画像データであると判定された場合には、前記圧縮制御手段によって圧縮した状態で前記モデムを介して前記画像データを送信するものであるから、非圧縮画像データを圧縮することなくそのまま送信していた従来のデジタルカメラに比べて、画像データの送信時間を短縮することができる。
【図面の簡単な説明】
【図１】この発明の一実施形態に係るデジタルカメラシステムに用いられるデジタルカメラの正面図である。
【図２】同じくデジタルカメラの背面図である。
【図３】同じくデジタルカメラの底面図である。
【図４】図１〜３に示したデジタルカメラの制御系を示すブロック図である。
【図５】図４に示したブロック図における全体制御部の構成を示すブロック図である。
【図６】メモリカード内のデータ配列を示す図である。
【図７】再生モードにおける画像データ送信処理を示すフローチャートである。
【図８】図７のフローチャートに示した処理の続きを示すフローチャートである。
【符号の説明】
１…デジタルカメラ
２…カメラ本体部
３…撮像部
８…メモリカード
９…シャッターボタン
１０…表示部
１２…圧縮設定スイッチ
２１１…全体制御部
２１１ｇ…記録画像生成部
２２０…モデム
２１１０…フラッシュメモリ
【図１】
0003837897.tif 000002
【図２】
0003837897.tif 000003
【図３】
0003837897.tif 000004
【図４】
0003837897.tif 000005
【図５】
0003837897.tif 000006
【図６】
0003837897.tif 000007
【図７】
0003837897.tif 000008
【図８】
0003837897.tif 000009